(57)【要約】【課題】簡単な構成で霧状液体を散布する。【解決手段】ベース部材によって回転自在に支持された中心部材と、該中心部材から外径方向に放射状に突設された複数の羽根部材３７、中心部材から各羽根部材に沿って配管された管体４１と、各管体に沿って形成された複数の噴霧口３８と、を備えた回転ユニットと、回転ユニットを回転駆動する駆動機構と、液体を霧状化した霧状液体を生成して前記配管に供給する霧状液体生成手段と、を備えたことを特徴とする。【選択図】図２
2014228228.tif 000002
【特許請求の範囲】
【請求項１】
ベース部材によって回転自在に支持された中心部材と、該中心部材から外径方向に放射状に突設された複数の羽根部材と、前記中心部材から各羽根部材に沿って配管された管体と、各管体に沿って形成された複数の噴霧口と、を備えた回転ユニットと、
前記回転ユニットを回転駆動する駆動機構と、
液体を霧状化した霧状液体を生成して前記配管に供給する霧状液体生成手段と、
を備えたことを特徴とする霧状液体散布装置。
【請求項２】
常温水を供給する常温水供給手段と、
前記常温水供給手段から供給された常温水を加温する加温手段と、
前記常温水供給手段から供給された常温水と、前記加温手段により加温された水とを混合する混合手段と、を備えることを特徴とする請求項１に記載の霧状液体散布装置。
【請求項３】
常温水を供給する常温水供給手段と、
前記常温水供給手段から供給された常温水を冷却する冷却手段と、
前記常温水供給手段から供給された常温水と、前記冷却手段により冷却された水とを混合する混合手段と、を備えることを特徴とする請求項１に記載の霧状液体散布装置。
【請求項４】
前記霧状液体生成手段により生成された霧状液体はドライミストであることを特徴とする請求項１に記載の霧状液体散布装置。
【請求項５】
前記霧状液体が供給される空間の温湿度を検知する温湿度検知手段と、
前記加温手段から前記霧状液体生成手段へ供給される温水の水量を調整する加温手段バルブと、
前記冷却手段から前記霧状液体生成手段へ供給される冷却水の水量を調整する冷却手段バルブと、
前記温湿度検知手段により検知された温湿度に基づいて、前記空間の温湿度が所定の温湿度になるように制御する制御手段と、を備え、
前記制御手段は、前記霧状液体生成手段へ供給される水の温度を前記各バルブの開度を任意に制御することにより設定することを特徴とする請求項３に記載の霧状液体散布装置。
【発明の詳細な説明】
【技術分野】
【０００１】
本発明は、空気循環と同時に加湿も行うことが可能な霧状液体散布装置に関する。
【背景技術】
【０００２】
従来、建造物、特にビル等の室内には火災時の熱を検知して自動的に放水するスプリンクラーが設置されている所が多い。スプリンクラーは、天井に配置されたスプリンクラーヘッドの周囲温度が上昇することにより、ヘッドの感熱体が破壊、又は変形してヘッドの放水を阻止している栓などが外れて放水口から加圧水が放水される構造である。
このようなスプリンクラーヘッドは、ある一定の範囲ごとに設置する必要があるため、天井内は給水配管が張り巡らされている。
しかし、このスプリンクラーが作動する時は、火災時または不測の事態が発生した時であり、その発生確率が非常に低いのが一般的である。勿論、これらの設備が稼働する事態が発生しない方が良いが、天井内の配管設備を、例えば、冬期に温水ミストを噴射して暖房に利用したり、あるいは夏期に冷水ミストを噴射して冷房に使用することにより、常時の設備点検も兼ねて有効利用することも可能である。
【０００３】
一方、ミスト噴射に関する従来技術として特許文献１には、回転板の上下面には羽根を回転板と一体に設け、回転板の外周縁に沿ってエアー噴出口を多重に設け、回転板は上下二枚の円板を上下に間隔をあけて設け、回転軸の下方から液を上げて二枚の円板の間に液を供給し、回転板の回転により外周縁に液が拡がり、回転板の外周縁に設けられたエアー噴出口からミストが噴霧される霧化装置について開示されている。
また、特許文献２には、筒状ポンプの上端に一対の円板が取付けられ、上段の円板にファンが取付けられ、一対の円板は平行面間にスリットを形成し、ポンプは水槽内の水を吸引してスリット内に供給し、スリット内に水を膜状に充満させ、回転により生じた遠心力によって円板の周囲に飛散させる。一方、円板の周囲には衝立が設置され、飛散した水は、衝立に衝突して微細水滴に分裂し、ポンプと一体回転するファンより発生させた空気流に空気力輸送されて器外へ送出される加湿器について開示されている。
【先行技術文献】
【特許文献】
【０００４】
【特許文献１】特開２０１２−２２３７０６公報
【特許文献２】特開平７−２３３９７９号公報
【発明の概要】
【発明が解決しようとする課題】
【０００５】
しかしながら、特許文献１に開示されている従来技術は、回転板上に拡がった液を回転力により粒子化し、その粒子を別の羽根の空気で拡散する構成であり、回転板と羽根を個別に回転させる構造が複雑となるといった問題がある。
また、特許文献２に開示されている従来技術は、円盤を回転させてその遠心力により円盤上の水を衝立に衝突させて飛散させ、その飛散した水をファンにより空気流と共に器外に送出するものであり、特許文献１と同様に回転板と羽根を個別に回転させる構造が複雑となるといった問題がある。
更に、特許文献１及び２は、これらの設備を専用に設ける必要があり、全体のコストが高くなるといった問題もある。
本発明は、かかる課題に鑑みてなされたものであり、簡単な構成で霧状液体を散布することが可能な霧状液体散布装置を提供することを目的とする。
【課題を解決するための手段】
【０００６】
本発明はかかる課題を解決するために、請求項１は、ベース部材によって回転自在に支持された中心部材と、該中心部材から外径方向に放射状に突設された複数の羽根部材と、前記中心部材から各羽根部材に沿って配管された管体と、各管体に沿って形成された複数の噴霧口と、を備えた回転ユニットと、前記回転ユニットを回転駆動する駆動機構と、液体を霧状化した霧状液体を生成して前記配管に供給する霧状液体生成手段と、を備えたことを特徴とする。
【発明の効果】
【０００７】
本発明によれば、回転ユニットを回転駆動することで、霧状液体を各羽根部材に沿って配管された管体に供給し、各管体に沿って形成された複数の噴霧口から霧状液体を散布することができる。
【図面の簡単な説明】
【０００８】
【図１】本発明の実施形態に係る霧状液体散布装置の構成を示すブロック図である。
【図２】本発明の霧状液体散布装置に使用されるミストファンの詳細な構成を示す部分断面図である。
【図３】（Ａ）は本発明の霧状液体散布装置の冬期運転の動作について説明するフローチャートであり、（Ｂ）は冬期運転時のパターンについて説明する図である。
【図４】（Ａ）は本発明の霧状液体散布装置の夏期運転の動作について説明するフローチャートであり、（Ｂ）は夏期運転時のパターンについて説明する図である。
【図５】（Ａ）は本発明の霧状液体散布装置の中間期運転の動作について説明するフローチャートであり、（Ｂ）は中間期運転時のパターンについて説明する図である。
【発明を実施するための形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１０】
図１は本発明の実施形態に係る霧状液体散布装置の構成を示すブロック図である。本発明の霧状液体散布装置１００は、給水管１、貯留タンク２、電気温水器（加温手段）３、電気冷水器（冷却手段）４、混合タンク５、ミスト発生器（霧状液体生成手段）６、ミスト調整バルブ７、温湿度計８、制御装置９、操作部１０、出力バルブＡ１２、出力バルブＢ１３、電気温水バルブ１４、電気冷水バルブ１５、及びミストファン１６を備えて構成されている。
【００１１】
給水管１は水源（水道管）から水を給水する。貯留タンク２は給水管１から給水した常温水（以下、単に水と呼ぶ）を貯留する。電気温水器（加温手段）３は貯留タンク２から給水された水を所定の温度に温める。電気冷水器（冷却手段）４は貯留タンク２から給水された水を所定の温度に冷やす。貯留タンク２、混合タンク５は電気温水器３、及び電気冷水器４から給水された所定の温度になった制御水を混合する。貯留タンクバルブ１１は貯留タンク２に貯留された水を混合タンク５に供給、停止を行う。貯留タンク出力バルブＡ１２は貯留タンク２に貯留された水を電気温水器３に供給、停止を行う。貯留タンク出力バルブＢ１３は貯留タンク２に貯留された水を電気冷水器４に供給、停止を行う。電気温水バルブ１４は電気温水器３に貯留された温水を混合タンク５に供給、停止を行う。
【００１２】
電気冷水バルブ１５は電気冷水器４に貯留された冷水を混合タンク５に供給、停止を行う。ミスト発生器６は混合タンク５により混合された水を超音波振動子または噴霧ノズルによりミスト化する。ミスト調整バルブ７はミスト発生器６から発生されたミストの量を調整する。制御装置９は各タンクに備えられたバルブの制御及び各部の動作を制御する。ミストファン１６は室内１８に備えられ、室内１８に所定の温度のミストを噴射する。温湿度計８は室内１８の温湿度を検知して制御装置９に伝達する。操作部１０は制御装置９を外部から操作する。
尚、制御装置９は各バルブの開閉を個別に制御するバルブ制御信号２７を各バルブに接続している。例えば、電気信号によりバルブが電磁的に開閉する電磁バルブ等が使用される。また、混合タンク５には内部の温度が電気信号として出力する混合タンク温度信号１９が接続されている。また、ミストファン１６の羽根（詳細は後述する）を回転するモータを駆動するためのモータ駆動信号２１が出力される。更に、ミスト発生器６を駆動するミスト駆動信号２８がミスト発生器６に接続されている。そして、ミスト発生器６が起動していない時は、混合タンク５の混合水が配管２９に直接流れるようになっている。
【００１３】
本発明では、室内のスプリンクラー１７と一体化してミストファン１６を備えることにより、スプリンクラー１７を使用しない時に室内の環境を快適にするためにミストファン１６を稼働する。即ち、スプリンクラー１７は、火災発生時にのみ使用するために殆ど使用されず、そのために備えた設備が無駄になる可能性がある。
本発明では、それらの設備を利用してスプリンクラー１７が稼働していない時に、例えば、寒い冬期であれば、温湿度計８により計測した室内１８の温湿度に基づいて、電気温水器３により温められた温水と貯留タンク２に貯留された水を混合タンク５で混合して最適な温度のミストをミストファン１６により室内１８に噴霧する。これにより、室内１８を最適な環境に維持することができる。
【００１４】
また、暑い夏期には、温湿度計８により計測した室内１８の温湿度に基づいて、電気冷水器４により冷却された冷水と貯留タンク２に貯留された水を混合タンク５で混合して最適な温度のミストをミストファン１６により室内１８に噴霧することにより、室内１８を最適な環境に維持することができる。
尚、ミスト稼働中に火災が発生した場合は、当然、ミスト動作を中断して、水がスプリンクラー１７に供給されるように動作する。
なお、ミスト発生器６から噴霧されるミストは、人の手に触れたときに濡れる程度に粒子が粗い場合や、人の手に触れたときに濡れない程度に粒子が微細なドライミストでもよい。ドライミストの粒径は例えば９〜１６μｍであればよい。ドライミストを散布することで、ドライミストが気化熱を空気から奪い、室温を２〜３℃低下することができる。
【００１５】
図２は、本発明の霧状液体散布装置に使用されるミストファンの詳細な構成を示す部分断面図である。
本発明のミストファン１６は、ミスト発生器６からのミスト３５をミスト調整バルブ７を介して供給される配管３０があり、配管３０の先端は閉止されている。また、先端部にはミスト３５を吹き出す吹出し口３６が設けられている。
【００１６】
また、配管３０は、天井板５０に固定され、配管３０の先端部は、羽根３７ａの軸部が回転可能に構成されている。また、羽根３７ａには、長手方向に複数の孔３８が開けられ、ミスト３５が噴き出るように構成されている。従って、羽根３７ａの長手方向にはミスト管４１が開けられている。
すなわち、回転ユニット３７は、ベース部材である天井板５０によって回転自在に支持された中心部材と、該中心部材から外径方向に放射状に突設された複数の羽根部材である羽根３７ａと、中心部材から各羽根部材に沿って配管された管体であるミスト管４１と、各管体に沿って形成された複数の噴霧口である孔３８と、を備えている。さらに、回転ユニット３７を回転駆動する駆動機構であるモータ３１と歯車３３とを備えている。液体を霧状化した霧状液体を生成して配管に供給する霧状液体生成手段であるミスト発生器を備えている。
【００１７】
尚、火災発生時に水をスプリンクラー１７に供給するために配管３０の途中から配管３０を貫くように配管２９がスプリンクラー１７に繋がれている。それにより、スプリンクラー１７が動作すると、加圧された水がデフレクター４０により拡散されて放出される。
また、羽根３７ａは、配管３０を軸心として回転させるために、配管３０の上部にベアリング３４を配置して、配管３０の側部にベアリング３４ａ、３４ｂを配置して、羽根３７ａの軸心に歯車３２を固定し、モータ３１の軸に固定した歯車３３とかみ合わせて回転動力を伝達する回転羽根機構部を備えている。尚、歯車の代わりにベルトにより回転動力を伝達するようにしてもよい。
【００１８】
次に、本発明のミストファン１６の概略動作について説明する。
ミスト発生器６により発生されたミスト３５はミスト調整バルブ７によりその量が調整されて配管３０に供給される。そのミストは配管３０の先端のＡ部に供給され、吹出し口３６からミスト管４１を介して羽根３７の先端まで供給される。ミスト管４１には複数の孔３８が開けられているので、各孔３８からミスト３５が吹出される。
この時、モータ３１が回転することにより、歯車３３、３２を介して回転力が伝達されて羽根３７ａが所定の回転速度で回転する。その結果、ミスト３５は孔３８から遠心力により遠方に拡散される。また、火災等が発生すると、ミスト発生器６は、経路を切り替えて配管２３の水を配管２９側に切り替えてスプリンクラー１７から水を放出する。
【００１９】
図３（Ａ）は本発明の霧状液体散布装置の冬期運転の動作について説明するフローチャートである。（Ｂ）は冬期運転時のパターンについて説明する図である。
本システムでは、従来のスプリンクラー動作かミスト動作かを操作部１０により選択し、スプリンクラー動作の場合（Ｓ１でＮ）火災が発生していない場合は（Ｓ１５でＮ）何もしないで終了し、火災が発生した場合は（Ｓ２３でＹ）、スプリンクラー１７を起動する（Ｓ２４）。
【００２０】
一方、ステップＳ１でミスト動作を行う場合は（Ｓ１でＹ）、制御装置９はバルブ制御信号２７により貯留タンクバルブ１１を開放し（Ｓ２）、貯留タンク２の水を配管２２を介して混合タンク５に給水する。続いて貯留タンク出力バルブＡ１２を開放して（Ｓ３）、貯留タンク２の水を電気温水器３に給水する。次に貯留タンク出力バルブＢ１３を閉止して（Ｓ４）、貯留タンク２の水が電気冷水器４に給水されないようにする。そして、電気温水器３に水が給水されると、電気温水器３を加熱して所定の温度に達すると電気温水器バルブ１４を開放する（Ｓ５）。それにより、電気温水器３から温水が配管２２を介して混合タンク５に給水される。また、その時は電気冷水器バルブ１５を閉止して（Ｓ６）、温水が電気冷水器４に逆流しないようにする。このとき制御装置９は、混合タンク５内の温度を示す混合タンク温度信号１９を受信して、混合タンク内の温度が所定範囲内になるように貯留タンクバルブ１１と電気温水器バルブ１４の開度を制御することにより水量を調整する。
【００２１】
また、制御装置９はミストファン１６を設置した室内１８の温湿度を温湿度計８により計測して温湿度信号２０としてデータを取得する（Ｓ７）。この温湿度信号２０に基づいて、制御装置９はパターンを選択して、図２（Ｂ）のパターン１の場合は（Ｓ８）、混合タンク５の温度が低くなるように（Ｓ９）、貯留タンクバルブ１１と電気温水器バルブ１４の開度を制御することにより水量を調整する。
次にミスト発生器６を起動してミストを発生させる（Ｓ１０）。次にミスト調整バルブ７を開放して（Ｓ１１）、ミストを配管３０に送出する。そしてモータ３１をＯＮして（Ｓ１２）、低い温度の多量のミストを室内１８に拡散する。
【００２２】
また、図３（Ｂ）のパターン２の場合は（Ｓ１３）、混合タンク５の温度が高くなるように（Ｓ１４）、貯留タンクバルブ１１と電気温水器バルブ１４の開度を制御することにより水量を調整する。
次にミスト発生器６をＯＦＦしてミストを停止させる（Ｓ１５）。次にミスト調整バルブ７を閉止して（Ｓ１６）、モータ３１をＯＦＦすることにより（Ｓ１７）、高い温度の少量のミストを室内１８に拡散する。
【００２３】
また、図３（Ｂ）のパターン３の場合は（Ｓ１８）、混合タンク５の温度が高くなるように（Ｓ１９）、貯留タンクバルブ１１と電気温水器バルブ１４の開度を制御することにより水量を調整する。
次にミスト発生器６を起動してミストを発生させる（Ｓ２０）。次にミスト調整バルブ７を開放して（Ｓ２１）、ミストを配管３０に送出する。そしてモータ３１をＯＮして（Ｓ２２）、高い温度の多量のミストを室内１８に拡散する。
【００２４】
図４（Ａ）は本発明の霧状液体散布装置の夏期運転の動作について説明するフローチャートである。（Ｂ）は夏期運転時のパターンについて説明する図である。
本システムでは、従来のスプリンクラー動作かミスト動作かを操作部１０により選択し、スプリンクラー動作の場合（Ｓ３１でＮ）に、火災が発生していないときには（Ｓ４８でＮ）何もしないで終了し、火災が発生した場合は（Ｓ４８でＹ）、スプリンクラー１７を起動する（Ｓ４９）。
【００２５】
一方ステップＳ３１でミスト動作を行う場合は（Ｓ３１でＹ）、制御装置９はバルブ制御信号２７により貯留タンクバルブ１１を開放し（Ｓ３２）、貯留タンク２の水を配管２２を介して混合タンク５に給水する。続いて貯留タンク出力バルブＡ１２を閉止して（Ｓ３３）、貯留タンク２の水を電気温水器３に給水しないようにする。次に貯留タンク出力バルブＢ１３を開放して（Ｓ３４）、貯留タンク２の水を電気冷水器４に給水する。その時、電気温水器バルブ１４を閉止して（Ｓ３５）、電気温水器３の温水が混合タンク５に流入しないようにする。そして、電気冷水器４に水が給水されると、電気冷水器４を冷却して所定の温度に達すると電気冷水器バルブ１５を開放する（Ｓ３６）。それにより、電気冷水器４から冷水が配管２２を介して混合タンク５に給水される。このとき制御装置９は、混合タンク５内の温度を示す混合タンク温度信号１９を受信して、混合タンク内の温度が所定範囲内になるように貯留タンクバルブ１１と電気冷水器バルブ１５の開度を制御することにより水量を調整する。
【００２６】
また、制御装置９はミストファン１６を設置した室内１８の温湿度を温湿度計８により計測して温湿度信号２０としてデータを取得する（Ｓ３７）。この温湿度信号２０に基づいて、制御装置９はパターンを選択して、図４（Ｂ）のパターン１の場合は（Ｓ３８）、混合タンク５の温度が低くなるように（Ｓ３９）、貯留タンクバルブ１１と冷水器バルブ１５の開度を制御することにより水量を調整する。
次にミスト発生器６を起動してミストを発生させる（Ｓ４０）。次にミスト調整バルブ７を開放して（Ｓ４１）、ミストを配管３０に送出する。そしてモータ３１をＯＮして（Ｓ４２）、低い温度の多量のミストを室内１８に拡散する。
【００２７】
また、図４（Ｂ）のパターン２の場合は（Ｓ４３）、混合タンク５の温度が高くなるように（Ｓ４４）、貯留タンクバルブ１１と電気冷水器バルブ１５の開度を制御することにより水量を調整する。
次にミスト発生器６をＯＦＦしてミストを停止させる（Ｓ４５）。次にミスト調整バルブ７を閉止して（Ｓ４６）、モータ３１をＯＦＦすることにより（Ｓ４７）、高い温度の少量のミストを室内１８に拡散する。
【００２８】
図５（Ａ）は本発明の霧状液体散布装置の中間期運転の動作について説明するフローチャートである。（Ｂ）は中間期運転時のパターンについて説明する図である。
本システムでは、従来のスプリンクラー動作かミスト動作かを操作部１０により選択する。スプリンクラー動作の場合（Ｓ５１でＮ）に、火災が発生していないときには（Ｓ６２でＮ）何もしないで終了し、一方、火災が発生した場合は（Ｓ６２でＹ）、スプリンクラー１７を起動する（Ｓ６３）。
【００２９】
一方、ステップＳ５１でミスト動作を行う場合は（Ｓ５１でＹ）、制御装置９はバルブ制御信号２７により貯留タンクバルブ１１を開放し（Ｓ５２）、貯留タンク２の水を配管２２を介して混合タンク５に給水する。続いて貯留タンク出力バルブＡ１２を閉止して（Ｓ５３）、貯留タンク２の水を電気温水器３に給水しないようにする。次に貯留タンク出力バルブＢ１３を開放閉止して（Ｓ５４）、貯留タンク２の水を電気冷水器４に給水しないようにする。その時、電気温水器バルブ１４を閉止して（Ｓ５５）、電気温水器３の温水が混合タンク５に流入しないようにする。また、電気冷水器バルブ１５を閉止する（Ｓ５６）。それにより、配管２２には貯留タンク２の常温の水が混合タンク５に給水される。
その状態で、制御装置９はミストファン１６を設置した室内１８の温湿度を温湿度計８により計測して温湿度信号２０としてデータを取得する（Ｓ５７）。この温湿度信号２０に基づいて、混合タンク５の温度が常温であることを確認して（Ｓ５８）、ミスト発生器６を起動してミストを発生させる（Ｓ５９）。次にミスト調整バルブ７を開放して（Ｓ６０）、ミストを配管３０に送出する。そしてモータ３１をＯＮして（Ｓ６１）、低い温度の多量のミストを室内１８に拡散する。
【００３０】
以上のように、ベース部材（天井）によって回転自在に支持された中心部材と、該中心部材から外径方向に放射状に突設された複数の羽根部材と、中心部材から各羽根部材に沿って配管された管体と、各管体に沿って形成された複数の噴霧口と、を備えた回転ユニットと、回転ユニットを回転駆動する駆動機構と、液体を霧状化した霧状液体を生成して前記配管に供給する霧状液体生成手段と、を備えている。これにより、回転ユニットを回転駆動することで、霧状液体を各羽根部材に沿って配管された管体に供給し、各管体に沿って形成された複数の噴霧口から霧状液体を散布することができる。
【００３１】
また、常温水を供給する常温水供給手段と、常温水供給手段から供給された常温水を加温する加温手段と、常温水供給手段から供給された常温水と、加温手段により加温された水とを混合する混合手段と、を備えている。これにより、加温した液体を霧状化して複数の噴霧口から霧状液体を散布することができる。
また、常温水を供給する常温水供給手段と、常温水供給手段から供給された常温水を冷却する冷却手段と、常温水供給手段から供給された常温水と、冷却手段により冷却された水とを混合する混合手段と、を備えている。これにより、冷却した液体を霧状化して複数の噴霧口から霧状液体を散布することができる。
【００３２】
さらに、霧状液体生成手段により生成された霧状液体はドライミストであることで、複数の噴霧口から結露しないドライミストを散布することができる。
また、霧状液体が供給される空間の温湿度を検知する温湿度検知手段と、加温手段から霧状液体生成手段へ供給される温水の水量を調整する加温手段バルブと、冷却手段から霧状液体生成手段へ供給される冷却水の水量を調整する冷却手段バルブと、温湿度検知手段により検知された温湿度に基づいて、空間の温湿度が所定の温湿度になるように制御する制御手段と、を備え、制御手段は、霧状液体生成手段へ供給される水の温度を各バルブの開度を任意に制御することにより設定することで、適温に設定された霧状液体を散布することができる。
【符号の説明】
【００３３】
１…給水管、２…貯留タンク、３…電気温水器、４…電気冷水器、５…混合タンク、６…ミスト発生器、７…ミスト調整バルブ、８…温湿度計、９…制御装置、１０…操作部、１１…貯留タンクバルブ、１２…貯留タンク出力バルブＡ、１３…貯留タンク出力バルブＢ、１４…電気温水バルブ、１５…電気冷水バルブ、１６…ミストファン、１７…スプリンクラー、１８…室内、１９…混合タンク温度信号、２０…温湿度信号、２１…モータ駆動信号、２２〜２６…配管、２７…バルブ制御信号、２８…ミスト発生信号、２９、３０…配管、３１…モータ、３２、３３…歯車、３４…ベアリング、３５…ミスト、３６…吹出し口、３７…羽根、３８…孔、４０…デフレクター、４１…ミスト管、５０…天井板
【図１】
2014228228.tif 000003
【図２】
2014228228.tif 000004
【図３】
2014228228.tif 000005
【図４】
2014228228.tif 000006
【図５】
2014228228.tif 000007
【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
天井によって回転自在に支持された中心部材と、該中心部材から外径方向に放射状に突設された複数の羽根部材と、前記中心部材から各羽根部材の内部に沿って配管された管体と、各管体に沿って形成された複数の噴霧口と、を備え、前記天井から室内に突設した回転ユニットと、
前記天井内に収容され、前記回転ユニットを回転駆動する駆動機構と、
前記天井内に収容され、液体を霧状化した霧状液体を生成して前記管体に供給する霧状液体生成手段と、を備えたことを特徴とする霧状液体散布装置。
【請求項２】
常温水を供給する常温水供給手段と、
前記常温水供給手段から供給された常温水を加温する加温手段と、
前記常温水供給手段から供給された常温水と、前記加温手段により加温された水とを混合する混合手段と、を備えることを特徴とする請求項１に記載の霧状液体散布装置。
【請求項３】
常温水を供給する常温水供給手段と、
前記常温水供給手段から供給された常温水を冷却する冷却手段と、
前記常温水供給手段から供給された常温水と、前記冷却手段により冷却された水とを混合する混合手段と、を備えることを特徴とする請求項１に記載の霧状液体散布装置。
【請求項４】
前記霧状液体生成手段により生成された霧状液体はドライミストであることを特徴とする請求項１に記載の霧状液体散布装置。
【請求項５】
前記霧状液体が供給される空間の温湿度を検知する温湿度検知手段と、
前記加温手段から前記霧状液体生成手段へ供給される温水の水量を調整する加温手段バルブと、
前記冷却手段から前記霧状液体生成手段へ供給される冷却水の水量を調整する冷却手段バルブと、
前記温湿度検知手段により検知された温湿度に基づいて、前記空間の温湿度が所定の温湿度になるように制御する制御手段と、を備え、
前記制御手段は、前記霧状液体生成手段へ供給される水の温度を前記各バルブの開度を任意に制御することにより設定することを特徴とする請求項３に記載の霧状液体散布装置。
【手続補正２】
【補正対象書類名】明細書
【補正対象項目名】０００６
【補正方法】変更
【補正の内容】
【０００６】
本発明はかかる課題を解決するために、請求項１は、天井によって回転自在に支持された中心部材と、該中心部材から外径方向に放射状に突設された複数の羽根部材と、前記中心部材から各羽根部材の内部に沿って配管された管体と、各管体に沿って形成された複数の噴霧口と、を備え、前記天井から室内に突設した回転ユニットと、前記天井内に収容され、前記回転ユニットを回転駆動する駆動機構と、
前記天井内に収容され、液体を霧状化した霧状液体を生成して前記管体に供給する霧状液体生成手段と、を備えたことを特徴とする。